(57)【特許請求の範囲】
【請求項１】
上下端面に一対の金具埋込用孔がそれぞれ形成された石材製の扉を、上端面と窓との間および下端面と窓との間をそれぞれ貫通する上下一対の貫通孔が形成された石材製の扉枠に、開閉自在に取り付けるための取付金具であって、
前記扉の金具埋込用孔に埋め込まれる埋込部を有し、断面視円形状の支持孔が形成された一対の円筒状のスリーブと、
各スリーブの支持孔に先端部が回転自在に挿入され、基端部が前記扉枠の貫通孔に挿入される一対の支持軸と、
該支持軸を扉枠に固定させる固定手段とからなり、
前記固定手段が、内側用平座金、クリップ、ボルトおよび外側用平座金からなり、
前記支持軸が、
前記スリーブの支持孔に回転自在に挿入される挿入部と、
該挿入部より径が大きく、扉枠の貫通孔に挿入されて固定される基端部とを備え、
前記支持軸の基端部の端面に、その軸方向に沿って前記ボルトを螺着させるための雌ねじが形成され、
前記支持軸の挿入部と基端部との間に、前記クリップを嵌合させるための溝が形成され、
前記内側用平座金の中孔が、前記支持軸の挿入部の径より大きく、前記支持軸の基端部の径より小さく形成されており、
前記外側用平座金の中孔が、前記ボルトの軸部の径よりも大きく、前記支持軸の基端部の径よりも小さく形成されている
ことを特徴とする石材扉取付金具。
【請求項２】
上下端面に一対の金具埋込用孔がそれぞれ形成された石材製の扉を、上端面と窓との間および下端面と窓との間をそれぞれ貫通する上下一対の貫通孔が形成された石材製の扉枠に、開閉自在に取り付けるための取付金具であって、
前記扉の金具埋込用孔に埋め込まれる埋込部を有し、断面視円形状の支持孔が形成された一対の円筒状のスリーブと、
各スリーブの支持孔に先端部が回転自在に挿入され、基端部が前記扉枠の貫通孔に挿入される一対の支持軸と、
該支持軸を扉枠に固定させる固定手段とからなり、
前記固定手段が、ボルト、一対のナットおよび外側用平座金からなり、
前記支持軸が、
前記スリーブの支持孔に回転自在に挿入される挿入部と、
該挿入部より径が大きいつばが形成された基端部とを備え、
前記支持軸の基端部の端面に、その軸方向に沿って前記ボルトを螺着させるための雌孔が形成され、
前記外側用平座金の中孔が、前記ボルトの軸部の径よりも大きく、前記支持軸の基端部の径よりも小さく形成されている
ことを特徴とする石材扉取付金具。
【発明の詳細な説明】
【０００１】
【発明の属する技術分野】
本発明は、石材扉取付金具に関する。さらに詳しくは、納骨室における石材扉取付ユニットの石材扉取付金具に関する。
【０００２】
【従来の技術】
納骨堂には、遺骨が入れられた骨壷を納骨するための納骨室が多数設けられている。納骨室の左右側壁や天井壁、底壁は、石材製もしくは木材製である。
各納骨室の扉は、紫檀などの高級木材の表面に彫刻を施し、表面を金泥塗り仕上げしたものが多い。この扉は、蝶板などの金具で納骨室に開閉自在に取り付けられている。この高級木材製の扉を開閉させて、納骨室内に遺骨の入った骨壷を出し入れすることができる。
【０００３】
【発明が解決しようとする課題】
しかるに、従来より、各納骨室の扉を、木材ではなく石材製の扉にしたいという要望が多かった。というのは、納骨室は墓と同様に死者の家なので、納骨室だけでなく扉も石材製にして、できるだけ墓らしくして死者に安らぎを与えたいと願うからである。しかし、従来の納骨室には、納骨室の本体だけでなく、納骨室の扉まで石材製のものはなかった。
これは、次の理由による。すなわち、納骨室の扉を薄い石材製にした場合、扉を何度も開閉するうちに割れて壊れてしまうことがある。かと云って、壊れないように扉を厚い石材製のものにすると、扉が重くなり蝶板では支持しきれなくなる。
また、石材製の扉は重く、しかも現場で扉を加工していることから、扉を納骨室に直接取り付けるときには、納骨室に対する扉の位置決めが難しい。
【０００４】
本発明はかかる事情に鑑み、石材扉取付ユニットにおいて、納骨室の前面に取り付けられる石材製の扉枠の窓に、石材製の扉を正確に位置決めして割れないように簡単に取り付けることができる石材扉取付金具を提供することを目的とする。
【０００５】
【課題を解決するための手段】
請求項１の石材扉取付金具は、上下端面に一対の金具埋込用孔がそれぞれ形成された石材製の扉を、上端面と窓との間および下端面と窓との間をそれぞれ貫通する上下一対の貫通孔が形成された石材製の扉枠に、開閉自在に取り付けるための取付金具であって、前記扉の金具埋込用孔に埋め込まれる埋込部を有し、断面視円形状の支持孔が形成された一対の円筒状のスリーブと、各スリーブの支持孔に先端部が回転自在に挿入され、基端部が前記扉枠の貫通孔に挿入される一対の支持軸と、該支持軸を扉枠に固定させる固定手段とからなり、前記固定手段が、内側用平座金、クリップ、ボルトおよび外側用平座金からなり、前記支持軸が、前記スリーブの支持孔に回転自在に挿入される挿入部と、該挿入部より径が大きく、扉枠の貫通孔に挿入されて固定される基端部とを備え、前記支持軸の基端部の端面に、その軸方向に沿って前記ボルトを螺着させるための雌ねじが形成され、前記支持軸の挿入部と基端部との間に、前記クリップを嵌合させるための溝が形成され、前記内側用平座金の中孔が、前記支持軸の挿入部の径より大きく、前記支持軸の基端部の径より小さく形成されており、前記外側用平座金の中孔が、前記ボルトの軸部の径よりも大きく、前記支持軸の基端部の径よりも小さく形成されていることを特徴とする。
請求項２の石材扉取付金具は、上下端面に一対の金具埋込用孔がそれぞれ形成された石材製の扉を、上端面と窓との間および下端面と窓との間をそれぞれ貫通する上下一対の貫通孔が形成された石材製の扉枠に、開閉自在に取り付けるための取付金具であって、前記扉の金具埋込用孔に埋め込まれる埋込部を有し、断面視円形状の支持孔が形成された一対の円筒状のスリーブと、各スリーブの支持孔に先端部が回転自在に挿入され、基端部が前記扉枠の貫通孔に挿入される一対の支持軸と、該支持軸を扉枠に固定させる固定手段とからなり、前記固定手段が、ボルト、一対のナットおよび外側用平座金からなり、前記支持軸が、前記スリーブの支持孔に回転自在に挿入される挿入部と、該挿入部より径が大きいつばが形成された基端部とを備え、前記支持軸の基端部の端面に、その軸方向に沿って前記ボルトを螺着させるための雌孔が形成され、前記外側用平座金の中孔が、前記ボルトの軸部の径よりも大きく、前記支持軸の基端部の径よりも小さく形成されていることを特徴とする。
【０００６】
請求項１の発明によれば、固定手段により扉枠に支持軸の基端部を固定することができ、この支持軸の先端部によって、扉の上下端面に埋め込まれたスリーブを垂直に支持できるから、石材製の重い扉であっても、扉を扉枠に開閉自在に取り付けることが簡単にできる。
そして、扉枠の貫通孔に、その外側から支持軸を挿入し、扉の金具埋込孔に埋込まれたスリーブの支持孔並びに内側用平座金の中孔に支持軸の挿入部を挿入した状態で、クリップを支持軸の溝に嵌合することにより、内側用平座金を支持軸に固定させることができる。そして、ボルトの軸に外側用平座金の中孔を通した状態で、ボルトの軸を支持軸の雌ねじに螺着することにより、内側用座金および外側用座金で扉枠を内側と外側から挟み付けることができ、支持軸を扉枠の貫通孔に固定することができる。よって、安価な部材で支持軸を扉枠の貫通孔に簡単かつ確実に固定させることができる。
請求項２の発明によれば、固定手段により扉枠に支持軸の基端部を固定することができ、この支持軸の先端部によって、扉の上下端面に埋め込まれたスリーブを垂直に支持できるから、石材製の重い扉であっても、扉を扉枠に開閉自在に取り付けることが簡単にできる。
そして、扉枠の貫通孔に、その外側から支持軸を挿入し、扉の金具埋込孔に埋込まれたスリーブの支持孔に支持軸の先端部を挿入する。そして、ボルトの軸に外側用平座金の中孔を通し、一対のナットを螺合させた状態で、ボルトの軸を支持軸の雌ねじに螺着することにより、２個のナットによってボルトが支持軸の雌ねじから抜けにくくなる。このため、支持軸のつばおよび外側用平座金で、扉枠を内側と外側から挟み付けることができ、支持軸を扉枠の貫通孔に固定することができる。よって、安価な部材で支持軸を扉枠の貫通孔に簡単かつ確実に固定させることができる。よって、安価な部材で支持軸を扉枠の貫通孔に簡単かつ確実に固定させることができる。
【０００７】
【発明の実施の形態】
つぎに、本発明の実施形態を図面に基づき説明する。
図１は石材扉取付ユニット５０の正面図であって、(A)は閉扉時、(B)は開扉時の状態を示している。図２(A)は図１のIIＡ−IIＡ線矢視図、図２(B)は図１のIIＢ−IIＢ線矢視図である。図１〜２に示すように、本実施形態の石材扉取付ユニット５０は、石材製の扉枠６０の窓６３に、石材製の扉７０が上下一対の石材扉取付金具８０、８０によって、開閉自在に取付けられたものである。
【０００８】
図１２は石材扉取付ユニット５０の取付説明図である。図１３は石材扉取付ユニット５０の取付説明図である。図１２および図１３(A)に示すように、納骨室Ｒの前面において、石材扉取付ユニット５０を斜めにした状態で、扉枠６０の上側の挿入部６２を、底板４１の上側の取付用溝41h に挿入する。そして、図１３(B)のように、石材扉取付ユニット５０を立てれば、納骨室Ｒの前面に石材扉取付ユニット５０を簡単に取り付けることができる。
【０００９】
まず、扉枠６０を説明する。
図３は扉枠６０の概略斜視図である。図４は扉枠６０の正面図である。図５は扉枠６０の側面図である。図６は扉枠６０の平面図である。図３〜６に示すように、扉枠６０は、納骨室の前面に取り付けられるものであり、石材を切削加工して形成したものである。この扉枠６０は、扉枠本体６１、上縁部６２および下縁部６５から構成されている。
【００１０】
扉枠本体６１は、約７〜８cmの厚さで、正面視ほぼ正方形の板状部材である。扉枠本体６１の中央部には、長方形状の窓６３が形成されている。この扉枠本体６１の上下に、上下縁部６２、６５が形成されている。各縁部６２、６５の前面は、扉７０の厚みに合わせて、前記扉枠本体６１の前面よりも前方に突出している。
前記上縁部６２には、この端縁に沿ってほぞ62t が形成されている。このほぞ62t は、納骨室Ｒの扉枠固定溝に嵌合されるものである。
【００１１】
上下縁部６２，６５間における扉枠本体６１の前面の空間が、扉７０を取り付けるための空間である。各縁部６２、６５には、その上下を貫通する貫通孔62h 、65h が形成されている。貫通孔62h 、65h は後述する石材扉取付金具８０の固定部８２を取り付けるための孔である。
【００１２】
前記扉枠本体６１には、貫通孔62h 、65h の間には上下方向に沿って断面視円弧状の案内溝６４が形成されている。この案内溝６４は、断面視で前記貫通孔62h 、65h と同心の円弧状の溝であり、扉７０の開時に扉７０が扉枠６０に接触しないように形成されている。
扉枠６０に案内溝６４が形成されているから、扉７０の開時には、扉７０をスムーズに開けることができ、扉７０の閉時には扉枠６０と扉７０の側端部との間に隙間ができるのを防止することができるという効果を奏する。
【００１３】
つぎに、扉７０を説明する。
図７は扉７０の概略斜視図である。図８は扉７０の正面図である。図７〜８に示すように、扉７０は、石材を切削加工して形成したものであり、約３〜４cmの厚さで、正面視ほぼ正方形の板状部材である。この扉７０の前面における左右端縁は、角が削られており、丸く形成されている。
この扉７０の上端面部および下端面部には、上下一対の断面視円形状の金具取付孔７１、７１が形成されている。この金具取付孔７１は、後述する石材扉取付金具８０のスリーブ８１を嵌合して埋め込み、接着剤で固定させるための孔である。
符号７２は、鍵を取り付けるための鍵取付用孔である。
なお、扉枠６０および扉７０の外観形状は、平板形状のものだけでなく、外側に張り出し湾曲した形状であってもよく、種々の形状を採択しうる。
【００１４】
つぎに、石材扉取付金具８０を説明する。
図９は、石材扉取付金具８０の斜視分解図である。同図に示すように、石材扉取付金具８０は、ステンレス製のスリーブ８１、支持軸８３および固定部８２から構成されたものである。
スリーブ８１は、埋込部81a に、つば81f および支持孔81h が形成されたものである。スリーブ８１の埋込部81a は、円筒状であり、前記扉７０の金具取付孔７１に埋め込まれて接着される部分である。この埋込部81a の一端の周縁部には、つば81f が形成されており、この一端面における中央部分には、支持孔81h が形成されている。
【００１５】
支持軸８３の本体83a は、円柱状である。この本体83a の下部には、円柱状の先端部83p が形成されている。この先端部83p は、前記スリーブ８１の支持孔81h に回転自在に挿入される部分である。本体83a と先端部83p との間には、溝83g が形成されている。この溝83g は、ＣリングやＥリング等のクリップ８５を嵌合させるための部分である。本体83a の一端面における中央部には、雌ねじ83h が形成されている。この雌ねじ83h は、ボルト８９を螺着させるためのねじ孔である。
【００１６】
固定部８２は、内側用平座金８４、クリップ８５、スプリング８６、外側用平座金８７、ばね座金８８およびボルト８９から構成されたものである。
内側用平座金８４は、その中孔が、前記支持軸８３の挿入部の径より大きく、前記支持軸８３の埋込部83a の径より小さく形成されたものである。
クリップ８５は、支持軸８３の溝83g に嵌合されるものである。
スプリング８６は、支持軸８３の径より約１〜２mm前後大きい径のスプリングを使用すればよい。
外側用平座金８７は、その中孔が前記ボルト８９の軸部の径よりも大きく、前記支持軸８３の埋込部83a の径よりも小さく形成されたものである。
ボルト８９は、支持軸８３の雌ねじ83h に螺着されるものである。
なお、ばね座金８８については、なくてもよい。
【００１７】
つぎに、石材扉取付金具８０によって扉枠６０に扉７０を取り付ける方法を説明する。
図１０は、石材扉取付金具８０の取付説明図である。図９〜図１０に示すように、まず、一対の石材扉取付金具８０，８０を用意して、各石材扉取付金具８０のスリーブ８１の埋込部81a に接着剤を塗布し、本体81a を接着剤とともに、扉７０の上下一対の金具取付孔７１，７１にそれぞれ埋め込んで接着する。
【００１８】
各スリーブ８１のつば81f に、内側用平座金８４を重ね合わせる。この状態でスリーブ８１の支持孔81h および内側用平座金８４の中孔が、扉枠６０の貫通孔62h ，65h に合うように、扉７０を位置決めする。
つぎに、一対の支持軸８３，８３を、扉枠６０の貫通孔62h ，65h に、その外側からそれぞれ挿入して、スリーブ８１に接触した時点で平座金８４を支持軸８３の溝83g の位置まで移動させる。そして、クリップ８５を支持軸８３の溝83g に嵌合させることによって、内側用平座金８４を支持軸８３に固定させる。
ついで、ボルト８９の軸部に、ばね座金８８、外側用平座金８７を順に通しておく。このボルト８９の軸部を、扉枠６０の貫通孔62h ，65h に、その外側からそれぞれ挿入し、支持軸８３の雌ねじ83h に螺着させる。このため、一対の内側用平座金８４，８７によって、石材扉取付金具８０を扉枠６０の貫通孔62h ，65h に固定させることができる。
【００１９】
図１１に示すように、スリーブ８１の支持孔81h には、支持軸８３の先端部83p が回転自在に挿入されている。この支持軸８３は、扉枠６０の貫通孔62h ，65h に挿入され、扉枠６０に固定されている。このため、石材扉取付金具８０によって、扉枠６０に扉７０を開閉自在に取り付けることができるのである。
【００２０】
図１２は石材扉取付ユニット５０の取付正面図である。図１３は石材扉取付ユニット５０の取付説明図である。図１２および図１３(A)に示すように、納骨室Ｒの前面において、石材扉取付ユニット５０を斜めにした状態で、扉枠６０の上側の挿入部６２を、底板４１の上側の取付用溝41h に挿入する。そして、図１３(B)のように、石材扉取付ユニット５０を立てれば、納骨室Ｒの前面に石材扉取付ユニット５０を簡単に取り付けることができる。
この石材扉取付ユニット５０によれば、扉枠６０に対する扉７０の位置決めが容易であり、扉７０を扉枠６０に取り付けてから扉枠６０を納骨室Ｒに簡単に取り付けることができるので、納骨室Ｒに対する扉７０の位置決めが容易である。
【００２１】
上記のごとく、扉枠６０の上下一対の貫通孔62h ，65h に、各支持軸８３の基端部を固着させ、各支持軸８３の先端部83p を、扉７０の上下一対の金具埋込用孔にそれぞれ埋め込まれた各スリーブ８１の支持孔81h にそれぞれ挿入することができる。このため、支持軸８３の先端部83p によって、扉７０の上下端面に埋め込まれたスリーブ８１を垂直に支持できる。よって、石材扉取付金具８０によって石材製の扉枠６０の窓６３に石材製の扉６０を開閉自在に取り付けることができるから、扉７０が取り付けられた扉枠６０を納骨室Ｒの前面に取り付けるだけで、石材製の納骨室Ｒに開閉自在な石材製の扉７０を取り付けることが簡単にできる。
【００２２】
また、固定部８２により扉枠６０に支持軸８３の溝83g を固定することができ、この支持軸８３の先端部83p によって、扉７０の上下端面に埋め込まれたスリーブ８１を垂直に支持しているから、石材製の重い扉であっても、扉６０を扉枠７０に開閉自在に取り付けることが簡単にできる。
【００２３】
さらに扉枠６０の貫通孔62h ，65h に、その外側から支持軸８３を挿入し、扉７０の金具埋込孔７１に埋込まれたスリーブ８１の支持孔並びに内側用平座金８４の中孔に支持軸８３の挿入部を挿入した状態で、クリップ８５を支持軸８３の溝83g に嵌合することにより、内側用平座金８４を支持軸８３に固定させることができる。そして、ボルト８９の軸に外側用平座金８７の中孔を通した状態で、ボルト８９の軸を支持軸８３の雌ねじ83h に螺着することにより、固定部８２を扉枠６０の貫通孔62h ，65h に固定することができる。よって、安価な部材で支持軸８３を扉枠６０の貫通孔62h ，65h に簡単かつ確実に固定させることができる。
【００２４】
つぎに、他の実施形態の石材扉取付金具９０を説明する。
図１４は、他の石材扉取付金具９０の斜視分解図である。同図に示すように、この実施形態の石材扉取付金具９０は、ステンレス製のスリーブ９１、支持軸９３および固定部９２から構成されたものである。
スリーブ９１は、本体91a に、つば91f および支持孔91h が形成されたものである。本体91a は、円柱状であり、前記扉７０の金具取付孔７１に埋め込まれて、接着される部分である。この本体91a の一端の周縁部には、つば91f が形成されている。そして、本体91a の一端面における中央部分には、支持孔91h が形成されている。
【００２５】
支持軸９３は、先端部93p につば93f および雌ねじ93h が形成されたものである。先端部93p は円柱状である。この先端部93p の一端の周縁部には、つば93f が形成されている。先端部93p の一端面における中央部分には雌ねじ93h が形成されている。
【００２６】
固定部９２は、ナット９４、ナット９５、外側用平座金９６、ばね座金９７およびボルト９８から構成されたものである。
ナット９４、９５は、いずれもボルト９８の軸部に螺合されるものである。
外側用平座金９６は、その中孔が前記ボルト９８の軸部の径よりも大きく、前記支持軸９３の基端部の径よりも小さく形成されたものである。
ボルト９８は、支持軸９３の雌ねじ93h に螺合されるものである。
なお、ばね座金９７については特になくてもよい。
【００２７】
つぎに、石材扉取付金具９０によって扉枠６０に扉７０を取付ける方法を説明する。
図１５は他の石材扉取付金具９０の取付説明図である。図１４〜図１５に示すように、まず、一対の石材扉取付金具９０，９０を用意して、各石材扉取付金具９０のスリーブ９１の埋込部91a に接着剤を塗布し、本体91a を接着剤とともに、扉７０の上下一対の金具取付孔７１，７１にそれぞれ埋め込んで接着する。
【００２８】
各スリーブ９１のつば91f に、支持軸９３の先端部93p を挿入する。この状態で支持軸９３の雌ねじ93h が、扉枠６０の貫通孔62h ，65h に合うように、扉７０を位置決めする。
ついで、ボルト９８の軸部に、ばね座金９７、外側用平座金９６を順に通し、ナット９５，９４を螺着しておく。このボルト９８の軸部を、扉枠６０の貫通孔62h ，65h に、その外側からそれぞれ挿入し、支持軸９３の雌ねじ93h に螺着させる。２個のナット９４，９５によって、ボルト９８が支持軸９３の雌ねじ93h から抜けにくくなる。
【００２９】
図１６に示すように、支持軸９３のつば93f および外側用平座金９６によって、石材扉取付金具９０を扉枠６０の貫通孔62h ，65h に固定させることができる。
【００３０】
この石材扉取付金具９０によれば、扉枠６０の貫通孔62h ，65h に、その外側から支持軸９３を挿入し、扉７０の金具埋込孔７１に埋込まれたスリーブ９１の支持孔91h 並びに内側用平座金９４の中孔に支持軸９３の先端部93p を挿入する。そして、ボルト９９の軸に外側用平座金９７の中孔を通した状態で、ボルト９９の軸を支持軸９３の雌ねじ93h に螺着することにより、２個のナット９４，９５によって、ボルト９８が支持軸９３の雌ねじ93h から抜けにくくなる。このため、支持軸９３のつば93f およびばね座金９７で、扉枠６０内側と外側から挟み付けることができ、支持軸９３を扉枠６０の貫通孔62h ，65h に固定することができる。よって、安価な部材で支持軸９３を扉枠６０の貫通孔62h ，65h に簡単かつ確実に固定させることができる。
【００３１】
【発明の効果】
請求項１の発明によれば、固定手段により扉枠に支持軸の基端部を固定することができ、この支持軸の先端部によって、扉の上下端面に埋め込まれたスリーブを垂直に支持できるから、石材製の重い扉であっても、扉を扉枠に開閉自在に取り付けることが簡単にできる。
そして、安価な部材で支持軸を扉枠の貫通孔に簡単かつ確実に固定させることができる。
請求項２の発明によれば、固定手段により扉枠に支持軸の基端部を固定することができ、この支持軸の先端部によって、扉の上下端面に埋め込まれたスリーブを垂直に支持できるから、石材製の重い扉であっても、扉を扉枠に開閉自在に取り付けることが簡単にできる。
そして、安価な部材で支持軸を扉枠の貫通孔に簡単かつ確実に固定させることができる。
【図面の簡単な説明】
【図１】石材扉取付ユニット５０の正面図であって、(A)は閉扉時、(B)は開扉時の状態を示している。
【図２】図２(A)は図１のIIＡ−IIＡ線矢視図、図２(B)は図１のIIＢ−IIＢ線矢視図である。
【図３】扉枠６０の概略斜視図である。
【図４】扉枠６０の正面図である。
【図５】扉枠６０の側面図である。
【図６】扉枠６０の平面図である。
【図７】扉７０の概略斜視図である。
【図８】扉７０の正面図である。
【図９】石材扉取付金具８０の斜視分解図である。
【図１０】石材扉取付金具８０の取付説明図である。
【図１１】石材扉取付金具８０の斜視組立図である。
【図１２】石材扉取付ユニット５０の取付正面図である。
【図１３】石材扉取付ユニット５０の取付説明図である。
【図１４】他の石材扉取付金具９０の斜視分解図である。
【図１５】他の石材扉取付金具９０の取付説明図である。
【図１６】他の石材扉取付金具９０の斜視組立図である。
【符号の説明】
５０      石材扉取付ユニット
６０      扉枠
７０      扉
８０      石材扉取付金具
８１      スリーブ
８２      固定部
８３      支持軸
９０      石材扉取付金具
９１      スリーブ
９２      固定部
９３      支持軸
Ｒ        納骨室
【図１】
0003883843.tif 000002
【図２】
0003883843.tif 000003
【図３】
0003883843.tif 000004
【図４】
0003883843.tif 000005
【図５】
0003883843.tif 000006
【図６】
0003883843.tif 000007
【図７】
0003883843.tif 000008
【図８】
0003883843.tif 000009
【図９】
0003883843.tif 000010
【図１０】
0003883843.tif 000011
【図１１】
0003883843.tif 000012
【図１２】
0003883843.tif 000013
【図１３】
0003883843.tif 000014
【図１４】
0003883843.tif 000015
【図１５】
0003883843.tif 000016
【図１６】
0003883843.tif 000017